(57)【要約】      （修正有）【課題】マイクロホンをカナル型イヤホンに結合することで、ユーザが装着する際の安定性を向上可能なカナル型イヤホンマイクアセンブリを提供する。【解決手段】収容ハウジング１０、スピーカユニット２０、位置決めユニット３０、イヤーピースユニット４０及びマイクロホンユニット５０を含む。収容ハウジング１０は、共振チャンバ１２、サウンドチャンバ１６及び外蓋１２１を含む。位置決めユニット３０は、サウンドチャンバ１６の外周に被せられる環状部３２と、環状部３２の外周に接続される掛け止め部３４とを含む。イヤーピースユニット４０は、サウンドチャンバ１６に閉じ合わされる蓋板４１と、蓋板４１から延在される導音管４２と、導音管４２に接続される軟性イヤーピース４３とを含む。マイクロホンユニット５０は、アーム部５２と、イヤホンプラグ５４と、マイクロホン５６と、イヤホンプラグ５４とマイクロホン５６とを電気的に接続する接続コード５５とを含む。【選択図】図１
0003193854.tif 000002
【実用新案登録請求の範囲】
【請求項１】
内部にジャックが収容される共振チャンバと、前記共振チャンバに連通するサウンドチャンバと、前記共振チャンバの外側に設けられる外蓋とを含む収容ハウジング、
前記サウンドチャンバ内に収容されるスピーカユニット、
前記サウンドチャンバの外周に被せられる環状部と、前記環状部の外周に接続され、ユーザの耳介に止められる掛け止め部とを含む位置決めユニット、
前記サウンドチャンバに閉じ合わされる蓋板と、前記蓋板から外部に延在される導音管と、前記導音管に接続される軟性イヤーピースとを含むイヤーピースユニット、および
アーム部と、前記アーム部の一端に位置し、前記アーム部の長手方向に沿って延在され、前記ジャック内に挿設されるイヤホンプラグと、前記アーム部の他端に位置するマイクロホンと、前記アーム部に設けられ、前記イヤホンプラグと前記マイクロホンとを電気的に接続する接続コードとを含むマイクロホンユニット、
を含むことを特徴とするカナル型イヤホンマイクアセンブリ。
【請求項２】
前記ジャックは、方向がユーザの頬と略平行となるスロットを有することを特徴とする請求項１に記載のカナル型イヤホンマイクアセンブリ。
【請求項３】
前記収容ハウジングは、前記共振チャンバと前記サウンドチャンバとを連通する首部を更に含み、
前記サウンドチャンバの外周は前記首部に隣接するストッパフランジを含むことを特徴とする請求項１に記載のカナル型イヤホンマイクアセンブリ。
【請求項４】
前記サウンドチャンバは、前記首部とで漏斗状を呈し、前記蓋板に隣接する一端から前記首部に向かって漸次縮小し、
前記位置決めユニットの前記環状部は、前記蓋板寄りの内開口及び前記首部寄りの外開口を有し、前記内開口の直径は前記外開口の直径よりも大きいことを特徴とする請求項３に記載のカナル型イヤホンマイクアセンブリ。
【請求項５】
前記蓋板の直径は前記内開口の直径よりも大きく、
前記蓋板と前記ストッパフランジとが前記環状部の両側を当止することを特徴とする請求項４に記載のカナル型イヤホンマイクアセンブリ。
【請求項６】
前記位置決めユニットは、前記環状部の外周に形成された複数の滑り止め凸部を有することを特徴とする請求項４に記載のカナル型イヤホンマイクアセンブリ。
【請求項７】
前記導音管の管軸心と前記サウンドチャンバの管軸心とは鈍角をなし、
前記サウンドチャンバの管軸心と前記共振チャンバの軸心とは鈍角をなすことを特徴とする請求項１に記載のカナル型イヤホンマイクアセンブリ。
【請求項８】
前記マイクロホンユニットの前記アーム部は、シート状板体であり、複数の貫通孔が形成されており、
前記接続コードは前記複数の貫通孔を湾曲して貫通すると共に前記アーム部の両側面を交互に通過することを特徴とする請求項１に記載のカナル型イヤホンマイクアセンブリ。
【請求項９】
前記マイクロホンユニットの前記イヤホンプラグと前記マイクロホンとは、前記シート状板体の同一側面に位置することを特徴とする請求項８に記載のカナル型イヤホンマイクアセンブリ。
【請求項１０】
前記アーム部と前記掛け止め部とは、逆方向に延在されることを特徴とする請求項８に記載のカナル型イヤホンマイクアセンブリ。
【考案の詳細な説明】
【技術分野】
【０００１】
本考案は、カナル型イヤホンマイクアセンブリに関し、特にカナル型イヤホン及びマイクロホンを結合したイヤホン（ヘッドホン）に関する。
【背景技術】
【０００２】
イヤホンの遮音効果を向上させるために、カナル型イヤホン（ｃａｎａｌｐｈｏｎｅ）が開発された。カナル型イヤホンは、別名耳栓型イヤホンと呼ばれ、更に広くはインイヤーモニター（Ｉｎ−Ｅａｒ−Ｍｏｎｉｔｏｒ、ＩＥＭ）とも称される。カナル型イヤホンは、樹脂製のイヤーピースが一部外耳道（ｅｘｔｅｒｎａｌ  ａｃｏｕｓｔｉｃ  ｍｅａｔｕｓ又はｅｘｔｅｒｎａｌ  ａｕｄｉｔｏｒｙ  ｃａｎａｌ）内に挿入されることにより、外部の騒音を低減することができるため、より好ましい密閉性を獲得している。
【０００３】
しかしながら、カナル型イヤホンの多くは、樹脂製のイヤーピースを外耳道入口に固定することに依存しているため、ヘッドセット（ｈｅａｄｓｅｔ）に適用した場合、全体重量が増加して装着上の困難さに影響を及ぼすことになる。ヘッドセットとは、イヤホン（ｈｅａｄｐｈｏｎｅ）及びマイクロホン（ｍｉｃｒｏｐｈｏｎｅ）の結合を意味し、マイクロホンが耳の外側から口付近まで延在されることを要するため、軸回転力が発生し、カナル型イヤホンの装着上の安定性に影響を及ぼしやすい問題があった。
【考案の概要】
【考案が解決しようとする課題】
【０００４】
本考案は、マイクロホンをカナル型イヤホンに結合することで、ユーザが装着する際の安定性を向上させることができる、カナル型イヤホンマイクアセンブリを提供することを課題とする。
【０００５】
本考案は、軽量型マイクロホンをカナル型イヤホンに結合することで、マイクロホンの重量を軽減すると共に、カナル型イヤホン装着時の安定性を向上させる、カナル型イヤホンマイクアセンブリを提供することを課題とする。
【課題を解決するための手段】
【０００６】
１つの実施例において、本考案に係るカナル型イヤホンマイクアセンブリは、
内部にジャックが収容される共振チャンバと、共振チャンバに連通するサウンドチャンバと、共振チャンバの外側に設けられる外蓋とを含む収容ハウジング、
サウンドチャンバ内に収容されるスピーカユニット、
サウンドチャンバの外周に被せられる環状部と、環状部の外周に接続され、ユーザの耳介（ａｕｒｉｃｌｅ）に止められる掛け止め部とを含む位置決めユニット、
サウンドチャンバに閉じ合わされる蓋板と、蓋板から外部に延在される導音管と、導音管に接続される軟性イヤーピースとを含むイヤーピースユニット、および
アーム部と、アーム部の一端に位置し、アーム部の長手方向に沿って延在され、ジャック内に挿設されるイヤホンプラグと、アーム部の他端に位置するマイクロホンと、アーム部に設けられ、イヤホンプラグとマイクロホンとを電気的に接続する接続コードとを含むマイクロホンユニット、を含む。
【０００７】
本考案の１つの実施例において、マイクロホンユニットのアーム部は、シート状板体であり、複数の貫通孔が形成されており、接続コードが複数の貫通孔を湾曲して貫通すると共にアーム部の両側面を交互に通過する。
【考案の効果】
【０００８】
本考案に係るカナル型イヤホンマイクアセンブリは、環状部と、環状部の外周に接続される掛け止め部とを含む位置決めユニットを有しているため、掛け止め部によってユーザの耳介に止められるのみならず、環状部の外周によっても耳との摩擦力を提供することができる。
【図面の簡単な説明】
【０００９】
【図１】本考案に係るカナル型イヤホンマイクアセンブリの立体分解図である。
【図２】本考案に係るカナル型イヤホンマイクアセンブリの他の視点から見た立体分解図である。
【図３】本考案のマイクロホンユニットが挿入されていない状態を示した斜視図である。
【図４】本考案に係るカナル型イヤホンマイクアセンブリの側面図である。
【図５】本考案に係るカナル型イヤホンマイクアセンブリの上面図である。
【図６】図５の６−６線に沿った断面図である。
【図７】本考案に係るカナル型イヤホンマイクアセンブリの装着を示した図である。
【考案を実施するための形態】
【００１０】
＜第１の実施例＞
図１及び図２は、本考案に係るカナル型イヤホンマイクアセンブリの立体分解図である。本考案に係るカナル型イヤホンマイクアセンブリは、収容ハウジング１０と、スピーカユニット２０と、位置決めユニット３０と、イヤーピースユニット４０と、マイクロホンユニット５０とを含む。
【００１１】
上述した収容ハウジング１０は、共振チャンバ１２と、共振チャンバ１２に連通するサウンドチャンバ１６と、共振チャンバ１２の外側に設けられる外蓋１２１とを含む。共振チャンバ１２の内部にジャック１８が収容される。本実施例において、収容ハウジング１０は、共振チャンバ１２とサウンドチャンバ１６とを連通する首部１４を更に含む。サウンドチャンバ１６の外周は、首部１４に隣接するストッパフランジ１６２を含む。
【００１２】
上述したスピーカユニット２０は、サウンドチャンバ１６内に収容される。スピーカユニット２０の音声出力面は、共振チャンバ１２と背中合わせになっている。スピーカユニット２０は、可動コイル型スピーカ若しくは可動鉄片型スピーカ、又は両者の組み合わせであってもよい。
【００１３】
上述した位置決めユニット３０は、環状部３２と環状部３２の外周に接続される掛け止め部３４とを含む。位置決めユニット３０は、軟質プラスチックからなるものであってもよい。掛け止め部３４は、略三日月状を呈し、環状部３２と一体成形されると共に外部に延在される。環状部３２は、サウンドチャンバ１６の外周に被せられる。図７に示すように、掛け止め部３４は、ユーザの耳介に止められる。また、位置決めユニット３０は、環状部３２の外周に形成された複数の滑り止め凸部３２１を有する。滑り止め凸部３２１は、本実施例に係るカナル型イヤホンマイクアセンブリの固定を支援すると共に、装着時の安定性を向上させるように、外耳道の外側とで滑り止め作用を奏することができる。
【００１４】
上述したイヤーピースユニット４０は、サウンドチャンバ１６に閉じ合わされる蓋板４１と、蓋板４１から外部に延在される導音管４２と、導音管４２に接続される軟性イヤーピース４３とを含む。軟性イヤーピース４３は、ユーザの外耳道内に入れられる。
【００１５】
上述したマイクロホンユニット５０は、アーム部５２と、アーム部５２の一端に位置し、アーム部５２の長手方向に沿って延在され、ジャック１８内に挿設されるイヤホンプラグ５４と、アーム部５２の他端に位置するマイクロホン５６と、アーム部５２に配設され、イヤホンプラグ５４とマイクロホン５６とを電気的に接続する接続コード５５とを含む。
【００１６】
全体の重量を更に低減するために、本実施例において、接続コード５５は、湾曲延在されるようにアーム部５２を貫通する。マイクロホンユニット５０のアーム部５２は、シート状板体であると共に、複数の貫通孔５２０が形成される。好ましくは、アーム部５２は、金属シート状板体であってもよく、弾性を有するプラスチックシート状板体であってもよい。接続コード５５は、複数の貫通孔５２０を湾曲して貫通すると共にアーム部５２の両側面を交互に通過する。このような構造配置は、従来技術における、接続コードをプラスチック管体で覆うと共に固定する方法とは異なる。本実施例は、マイクロホンユニット５０の重量を軽減することができるのみならず、全体の厚さを低減することもできる。上述した貫通孔５２０は、シート状板体のアーム部５２の中心線に略沿って配列される。但し、本考案はこれに限定されず、例えば貫通孔は、アーム部５２の縁部まで連通してもよく、又はアーム部５２の中心線の両側に位置する。
【００１７】
マイクロホンユニット５０のイヤホンプラグ５４及びマイクロホン５６は、アーム部５２の同一側面に位置する。アーム部５２と掛け止め部３４とは、逆方向に延在される。また、本実施例において、ジャック１８はスロット１８０を有し、スロット１８０の方向はユーザの頬と略平行となる。
【００１８】
図２に示すように、サウンドチャンバ１６は、首部１４とで漏斗状を呈し、蓋板４１に隣接する一端から首部１４に向かって漸次縮小する。位置決めユニット３０の環状部３２は、蓋板４１寄りの内開口３２ａ及首部１４寄りの外開口３２ｂを有する。内開口３２ａの直径は、外開口３２ｂの直径よりも大きい。本実施例では、説明の便宜上、ユーザの耳寄りの一端を内側とし、耳から離れる一端を外側とする。換言すれば、サウンドチャンバ１６は、傾斜状を呈し、環状部３２は錐形の環状を呈する。環状部３２がサウンドチャンバ１６に組み付けられた後、上述したサウンドチャンバ１６のストッパフランジ１６２が組み合わされることで、環状部３２はしっかりとサウンドチャンバ１６に組み付けられることができる。補足すると、蓋板４１の直径が内開口３２ａの直径よりも大きいため、蓋板４１及びストッパフランジ１６２は、共同で環状部３２の両側に当止することができる。
【００１９】
図３乃至図５を用いて説明する。図３は、本考案に係るカナル型イヤホンマイクアセンブリの斜視図である。図４及び図５はそれぞれ平面図である。本実施例の共振チャンバ１２は、扁平型の円盤状を呈しており、一面はスピーカユニット２０の共振空間とすることができ、他面はジャック１８を収容することができる。ジャック１８のスロット１８０は、方向がユーザの頬と略平行となる。そのため、共振チャンバ１２の厚さを低減することができる。ユーザは、マイクロホンを使用する必要がない場合、マイクロホンユニット５０を取り外すことができる。コンピュータに接続されるケーブル１９は、共振チャンバ１２内に接続されることができる。
【００２０】
図６は、本考案の図５の６−６線に沿った断面図である。導音管４２の管軸心４２ｘとサウンドチャンバ１６の管軸心１６ｘとは鈍角をなし、サウンドチャンバ１６の管軸心１６ｘと共振チャンバ１２の軸心１２ｘとは鈍角をなす。
【００２１】
図７は、本考案に係るカナル型イヤホンマイクアセンブリの装着を示した図である。ユーザＵが本実施例に係るカナル型イヤホンマイクアセンブリを装着した場合、位置決めユニット３０の掛け止め部３４は、略三日月状を呈してユーザの耳Ｅの内側まで延在されている。また、カナル型の構造を組み合わせたことで、軟性イヤーピース４３がユーザの外耳道内に位置するようになるため、外部の音声を遮断して密閉性を強化することができるのみならず、装着上の安定性をも向上させることができる。
【００２２】
上記は本考案の好ましい実施例に過ぎず、本考案の範囲を制限するものではない。本考案の実用新案登録請求の範囲、明細書及び図面の記載内容を運用してなされた等価の技術的変更は、いずれも本考案の保護範囲に含まれる。
【符号の説明】
【００２３】
１０  収容ハウジング
１２  共振チャンバ
１２１  外蓋
１２ｘ  軸心
１４  首部
１６  サウンドチャンバ
１６２  ストッパフランジ
１６ｘ  管軸心
１８  ジャック
１８０  スロット
１９  ケーブル
２０  スピーカユニット
３０  位置決めユニット
３２  環状部
３２ａ  内開口
３２ｂ  外開口
３２１  滑り止め凸部
３４  掛け止め部
４０  イヤーピースユニット
４１  蓋板
４２  導音管
４２ｘ  管軸心
４３  軟性イヤーピース
５０  マイクロホンユニット
５２  アーム部
５２０  貫通孔
５４  イヤホンプラグ
５５  接続コード
５６  マイクロホン
Ｕ  ユーザ
Ｅ  耳  
【図１】
0003193854.tif 000003
【図２】
0003193854.tif 000004
【図３】
0003193854.tif 000005
【図４】
0003193854.tif 000006
【図５】
0003193854.tif 000007
【図６】
0003193854.tif 000008
【図７】
0003193854.tif 000009